(57)【要約】【課題】二酸化炭素を回収および供給する二酸化炭素施用装置において、吸着タンクでの結露を抑制できるようにする。【解決手段】本開示の一側面の二酸化炭素施用装置は、燃焼排ガスに含まれる二酸化炭素を回収し、農業用ハウス内に供給するように構成された二酸化炭素施用装置であって、少なくとも１つの液体貯留タンクと、吸着タンクと、供給流路と、を備える。液体貯留タンクは、液体を貯留し、燃焼排ガスが液体中を通過するように構成される。吸着タンクは、液体中を通過した燃焼排ガス中の二酸化炭素を吸着するように構成された吸着材を有し、液体貯留タンクよりも高温となる位置に配置される。供給流路は、燃焼排ガスを、液体貯留タンクを経由して吸着タンクに供給するように構成される。【選択図】図２
2019041649.tif 000002
【特許請求の範囲】
【請求項１】
燃焼排ガスに含まれる二酸化炭素を回収し、農業用ハウス内に供給するように構成された二酸化炭素施用装置であって、
液体を貯留し、燃焼排ガスが前記液体中を通過するように構成された少なくとも１つの液体貯留タンクと、
前記液体中を通過した燃焼排ガス中の二酸化炭素を吸着するように構成された吸着材を有し、前記液体貯留タンクよりも高温となる位置に配置された吸着タンクと、
前記燃焼排ガスを、前記液体貯留タンクを経由して前記吸着タンクに供給するように構成された供給流路と、
を備える二酸化炭素施用装置。
【請求項２】
請求項１に記載の二酸化炭素施用装置であって、
前記吸着タンクは、前記農業用ハウス内に配置され、前記液体貯留タンクは、前記農業用ハウス外に配置される
ように構成された二酸化炭素施用装置。
【請求項３】
請求項１または請求項２に記載の二酸化炭素施用装置であって、
前記吸着タンクを加温するように構成された加温部
をさらに備えた二酸化炭素施用装置。
【請求項４】
請求項３に記載の二酸化炭素施用装置であって、
前記加温部は、燃料を燃焼することによって二酸化炭素を含む燃焼排ガスを生成し、該燃焼排ガスの少なくとも一部を前記供給流路に供給するとともに、該燃焼によって発生する熱の少なくとも一部を、前記吸着タンクを加温するために利用する
ように構成された二酸化炭素施用装置。
【発明の詳細な説明】
【技術分野】
【０００１】
本開示は、燃焼排ガスに含まれる二酸化炭素を回収し、農業用ハウス内に供給する技術に関する。
【背景技術】
【０００２】
下記の特許文献１には、二酸化炭素を吸着する吸着材を有する吸着タンクよりも燃焼排ガスの流れの上流で燃焼排ガスの除湿を行う技術が提案されている。この技術では、燃焼排ガスの除湿を行うことによって吸着材が水分を吸着することを抑制し、吸着タンクで二酸化炭素を効率的に貯留できるようにしている。
【先行技術文献】
【特許文献】
【０００３】
【特許文献１】特開２０１６−０６３７５５号公報
【発明の概要】
【発明が解決しようとする課題】
【０００４】
しかしながら、吸着タンクが冷却されると吸着タンクで結露が発生し、結露による水分が吸着材に吸着される。この場合、吸着タンクでの二酸化炭素の吸着効率が低下するという問題があった。
【０００５】
本開示の一側面は、二酸化炭素を回収および供給する二酸化炭素施用装置において、吸着タンクでの結露を抑制できるようにすることが望ましい。
【課題を解決するための手段】
【０００６】
本開示の一側面の二酸化炭素施用装置は、燃焼排ガスに含まれる二酸化炭素を回収し、農業用ハウス内に供給するように構成された二酸化炭素施用装置であって、少なくとも１つの液体貯留タンクと、吸着タンクと、供給流路と、を備える。
【０００７】
液体貯留タンクは、液体を貯留し、燃焼排ガスが液体中を通過するように構成される。吸着タンクは、液体中を通過した燃焼排ガス中の二酸化炭素を吸着するように構成された吸着材を有し、液体貯留タンクよりも高温となる位置に配置される。供給流路は、燃焼排ガスを、液体貯留タンクを経由して吸着タンクに供給するように構成される。
【０００８】
すなわち、本開示の二酸化炭素施用装置では、吸着タンクが液体貯留タンクより高温となる位置に配置される。このような構成によれば、液体貯留タンクを通過した燃焼排ガスに対して、吸着タンクでの温度低下を抑制し、相対湿度が上がりにくくすることができる。したがって、吸着タンクでの結露を抑制し、吸着タンクによる二酸化炭素の吸着性能を維持することができる。
【０００９】
また、このような構成により、液体貯留タンクを通過した燃焼排ガスの温度を上昇させることができれば、燃焼排ガスの相対湿度を下げることができる。
また、本開示の一側面の二酸化炭素施用装置は、吸着タンクが農業用ハウス内に配置され、液体貯留タンクが農業用ハウス外に配置される構成でもよい。
【００１０】
このような二酸化炭素施用装置によれば、暖房運転によって燃焼排ガスが供給される冬場に、吸着タンクが比較的高温になる農業用ハウス内に配置され、液体貯留タンクが比較的低温になる農業用ハウス外に配置されるので、吸着タンクでの結露を抑制することができる。
【００１１】
また、本開示の一側面の二酸化炭素施用装置は、吸着タンクを加温するように構成された加温部をさらに備えてもよい。
このような二酸化炭素施用装置によれば、加温部によって吸着タンクがより高温になるように加温することができるので、吸着タンクでの結露をより抑制することができる。
【００１２】
また、本開示の一側面の二酸化炭素施用装置において、加温部は、燃料を燃焼することによって二酸化炭素を含む燃焼排ガスを生成し、該燃焼排ガスの少なくとも一部を供給流路に供給するとともに、該燃焼によって発生する熱の少なくとも一部を、吸着タンクを加温するために利用するように構成されてもよい。
【００１３】
このような二酸化炭素施用装置によれば、加温部が、燃焼によって生じる二酸化炭素を吸着タンクに供給する機能と、燃焼によって生じる熱を用いて吸着タンクを加温する機能とを有するので、これらの機能を別の装置を用いて実現する構成と比較して、二酸化炭素施用装置を小型化することができる。
【図面の簡単な説明】
【００１４】
【図１】実施形態における二酸化炭素施用装置の構成を概略的に示すブロック図である。
【図２】実施形態の二酸化炭素施用装置を構成する各装置の配置例を示す平面図である。
【図３】比較例（その１）の二酸化炭素施用装置を構成する各装置の配置例を示す平面図である。
【図４】比較例（その２）の二酸化炭素施用装置を構成する各装置の配置例を示す平面図である。
【図５】吸着タンクの水分量についての実験例を示すグラフである。
【図６】他の実施形態における二酸化炭素施用装置の構成を概略的に示すブロック図（その１）である。
【図７】他の実施形態における二酸化炭素施用装置の構成を概略的に示すブロック図（その２）である。
【発明を実施するための形態】
【００１５】
以下、本開示が適用された実施形態について、図面を用いて説明する。
［１．第１実施形態］
［１−１．構成］
図１に示す二酸化炭素施用装置１は、燃焼排ガスに含まれる二酸化炭素を回収し、農業用ハウス内に供給するための装置である。二酸化炭素施用装置１は、後述するように農業用ハウスの内部および外部に構成要素が分散して配置される。
【００１６】
二酸化炭素施用装置１は、燃焼装置２と、浄化ユニット２０と、ブロワ５と、吸着タンク６と、制御部７と、を備える。浄化ユニット２０は、第１液体貯留タンク３と、第２液体貯留タンク４と、調整弁８と、を備える。浄化ユニット２０には、ブロワ５と、制御部７と、のうちの少なくとも１つが含まれていてもよい。
【００１７】
また、二酸化炭素施用装置１は、排ガス流路１０と、第１取込流路１１と、冷却空気流路１２と、第２取込流路１３と、施用空気流路１４と、供給流路１５と、排出流路１６とを備える。第１取込流路１１、第２取込流路１３、供給流路１５は、菅状に形成され、燃焼排ガスを、第１液体貯留タンク３および第２液体貯留タンク４を経由して吸着タンク６に供給するための通路として機能する。
【００１８】
＜燃焼装置＞
燃焼装置２は、主に夜間、重油や灯油等の燃料を燃焼させ、農業用ハウス内の空気を温める装置である。燃焼排ガスは、煙突である排ガス流路１０を介して農業用ハウス外に排出される。
【００１９】
燃焼装置２は、燃焼排ガスの少なくとも一部を第１取込流路１１、第２取込流路１３、供給流路１５に供給する。また、燃焼によって発生する熱の少なくとも一部を、吸着タンク６を加温するために利用するように構成される。
【００２０】
本実施形態では、燃焼装置２は、農業用ハウス内を加温することによって、農業用ハウス内に配置された吸着タンク６を農業用ハウス内の空気を介して加温する。ただし、排ガス流路１０を吸着タンク６に近づけて配置することによって、排ガス流路１０の熱を用いて吸着タンク６を加温してもよい。
【００２１】
＜第１液体貯留タンク＞
第１液体貯留タンク３は、燃焼装置２から発生した燃焼排ガスの一部を液体Ｌ中に通過させることによって液体Ｌによって冷却および浄化するための装置である。
【００２２】
第１液体貯留タンク３は、内部に液体Ｌを貯留している。また、第１液体貯留タンク３は、燃焼装置２で発生した燃焼排ガスを取り込み、取り込んだ燃焼排ガスが液体Ｌ中を通過するように構成されている。燃焼排ガスは、液体Ｌとの熱交換により冷却されると共に、液体Ｌに含まれる化合物によって含有する成分の一部が取り除かれる。
【００２３】
具体的には、第１液体貯留タンク３には、第１取込流路１１が接続されており、第１取込流路１１から液体Ｌ中に燃焼排ガスが供給される。第１取込流路１１は、排ガス流路１０に接続され、燃焼排ガスが取り込まれる。第１取込流路１１内には、第１液体貯留タンク３内の液面と同じ位置まで液体Ｌが進入している。
【００２４】
なお、図１では、第１取込流路１１の端部は、第１液体貯留タンク３の下面に接続されているが、第１取込流路１１の端部は第１液体貯留タンク３の側面に接続されてもよい。また、第１取込流路１１は、第１液体貯留タンク３の上面から第１液体貯留タンク３の内部を通って液体Ｌ中に開口するように配置されてもよい。後述する第２液体貯留タンク４の第２取込流路１３についても同様である。
【００２５】
液体Ｌ中に供給された燃焼排ガスは、液体Ｌ中を気泡となって浮上する。つまり、バブリングが行われる。液体Ｌ中を通過した燃焼排ガスは、第２取込流路１３によって、第２液体貯留タンク４に取り込まれる。
【００２６】
第１液体貯留タンク３に貯留される液体Ｌとしては、燃焼排ガス中に含まれる硫化物や窒化物等の有害物質を除去できるものが好ましい。例えば、硫化物や窒化物と反応する化合物の水溶液が液体Ｌとして好適に使用できる。
【００２７】
また、第１液体貯留タンク３には、排水路１７が設けられている。排水路１７は、液体Ｌの液位が上昇した際に、液圧によって液体Ｌを第１液体貯留タンク３の外部に排出することで、液体Ｌの液位を一定に保つための流路である。
【００２８】
本実施形態では、排水路１７には、チャッキ弁（つまり逆止弁）１７Ａが設けられている。なお、液体Ｌの液位の上昇に合わせて液体Ｌを排出できる構成であれば、必ずしも排水路１７にチャッキ弁１７Ａが設けられる必要はない。
【００２９】
第１液体貯留タンク３には、液体Ｌを冷却するための冷却空気流路１２が接続されている。冷却空気流路１２は、冷却空気を液体Ｌ中に供給することで、液体Ｌを冷却する。冷却空気流路１２は、冷却配管１２Ａと、開閉弁１２Ｂとを有する。
【００３０】
冷却配管１２Ａは、一方の端部が第１液体貯留タンク３内の液体Ｌ中に配置されている。冷却配管１２Ａの他方の端部は、図示しない冷却空気の供給源に接続されている。
開閉弁１２Ｂは、冷却配管１２Ａ内に取り付けられている。開閉弁１２Ｂは、冷却配管１２Ａによる冷却空気の供給時に開けられる。開閉弁１２Ｂは、例えばソレノイド弁を用いることができる。
【００３１】
第１液体貯留タンク３内の液体Ｌ中に供給された冷却空気は、第２取込流路１３によって、第２液体貯留タンク４内の液体Ｌ中に供給される。つまり、冷却空気流路１２から供給される冷却空気は、第１液体貯留タンク３内の液体Ｌと第２液体貯留タンク４内の液体Ｌとを冷却する。
【００３２】
＜第２液体貯留タンク＞
第２液体貯留タンク４は、第１液体貯留タンク３を通過した燃焼排ガスを再度冷却および浄化するための装置である。つまり、二酸化炭素施用装置１は、燃焼排ガスを２段階で冷却および浄化する。
【００３３】
第２液体貯留タンク４は、内部に第１液体貯留タンク３と同様の液体Ｌを貯留している。また、第２液体貯留タンク４は、第１液体貯留タンク３を通過した燃焼排ガスを取り込み、取り込んだ燃焼排ガスが液体Ｌ中を通過するように構成されている。
【００３４】
具体的には、第２液体貯留タンク４には、第２取込流路１３が接続されており、第２取込流路１３から液体Ｌ中に燃焼排ガスが供給される。液体Ｌを通過した燃焼排ガスは、供給流路１５によって、吸着タンク６に供給される。第２液体貯留タンク４には、第１液体貯留タンク３と同様の排水路１７が設けられている。なお、第２取込流路１３内には、第２液体貯留タンク４内の液面と同じ位置まで液体Ｌが進入している。
【００３５】
供給流路１５は、第１供給配管１５Ａと、第２供給配管１５Ｂとを有する。第１供給配管１５Ａは、第２液体貯留タンク４内の液面よりも上方の空間に一方の端部が配置されている。第１供給配管１５Ａの他方の端部は、第２供給配管１５Ｂと、後述する施用配管１４Ａとに接続されている。
【００３６】
＜ブロワ＞
ブロワ５は、燃焼排ガスを吸着タンク６に供給するための装置である。ブロワ５は、供給流路１５の第２供給配管１５Ｂに配置されている。
【００３７】
二酸化炭素の吸着工程では、ブロワ５の運転により、第１液体貯留タンク３および第２液体貯留タンク４内が負圧となり、燃焼装置２で発生した燃焼排ガスが第１液体貯留タンク３および第２液体貯留タンク４を経由して吸着タンク６に圧送される。
【００３８】
＜吸着タンク＞
吸着タンク６は、燃焼排ガス中の二酸化炭素を吸着する吸着材６Ａが内部に配置されている。二酸化炭素の吸着工程では、ブロワ５によって供給された燃焼排ガス中の二酸化炭素が吸着材６Ａによって吸着される。吸着材６Ａとしては、例えば活性炭、ゼオライト等の多孔質材料などが使用できる。
【００３９】
一方、二酸化炭素の施用工程では、施用空気流路１４から施用空気が吸着タンク６内に供給され、吸着材６Ａから二酸化炭素が脱離する。脱離した二酸化炭素は、排出流路１６を介して農業用ハウス内に施用される。
【００４０】
なお、本実施形態では、施用空気流路１４は供給流路１５に接続されている。具体的には、施用空気流路１４と供給流路１５とは第２供給配管１５Ｂを共有している。また、施用空気流路１４は、施用配管１４Ａと、開閉弁１４Ｂとを有する。
【００４１】
施用配管１４Ａは、一方の端部が第２供給配管１５Ｂに接続されている。施用配管１４Ａの他方の端部は、大気に開放している。開閉弁１４Ｂは、施用配管１４Ａ内に取り付けられている。開閉弁１４Ｂは、施用配管１４Ａによる施用空気の供給時に開けられる。開閉弁１４Ｂは、例えばソレノイド弁を用いることができる。施用配管１４Ａから流入した施用空気の流入圧力は、第２液体貯留タンク４の液面を押し下げる圧力よりも小さいため、施用空気は供給流路１５に導かれる。
【００４２】
＜制御部＞
制御部７は、二酸化炭素施用装置１の運転を制御する装置である。具体的には、制御部７は、ブロワ５の運転および停止、ソレノイド弁の開閉等を制御する。
【００４３】
＜調整機構＞
本実施形態では、二酸化炭素施用装置１は、第１液体貯留タンク３および第２液体貯留タンク４内の圧力を調整する調整機構として、調整弁８を備える。
【００４４】
調整弁８は、ブロワ５の運転停止後における吸着タンク６から第２液体貯留タンク４内へのガスの流れを遮断する遮断機構である。調整弁８は、ブロワ５の運転停止後における第１液体貯留タンク３および第２液体貯留タンク４内の圧力の上昇を抑制する。
【００４５】
調整弁８は、供給流路１５における吸着タンク６よりも燃焼排ガスの流れ方向における上流側に配置される。本実施形態では、調整弁８は、供給流路１５においてブロワ５よりも上流側に配置されている。
【００４６】
調整弁８としては、例えばチャッキ弁が使用できる。また、調整弁８としてゲート弁、グローブ弁、ボール弁等を使用し、二酸化炭素の吸着工程では調整弁８を開けておき、ブロワ５の運転停止後に手動又は制御部７によって調整弁８を閉めるように構成してもよい。ただし、調整弁８をチャッキ弁とすることで、調整機構の構成が簡潔になると共に、コストを低減できる。
【００４７】
［１−２．配置］
二酸化炭素施用装置１においては、図２に示すように、燃焼装置２および吸着タンク６が農業用ハウス内１００Ａに配置され、浄化ユニット２０が農業用ハウス外１００Ｂに配置される。なお、二酸化炭素施用装置１を構成する各装置のうちの燃焼装置２、吸着タンク６、および浄化ユニット２０以外の装置については、農業用ハウス１００内外の任意の位置に配置されればよい。すなわち、吸着タンク６は、浄化ユニット２０よりも高温となる位置に配置される。
【００４８】
［１−３．実験例］
発明者は上記実施形態の二酸化炭素施用装置１の優位性を証明する実験を行った。図３には第１比較例の二酸化炭素施用装置１Ｙの構成を示し、図４には第２比較例の二酸化炭素施用装置１Ｚの構成を示す。
【００４９】
本実験例では、吸着材６Ａへの二酸化炭素の吸着量を直接的に測定するのではなく、吸着材６Ａへの水分の吸着量、すなわち水分量を測定することにした。このようにするのは、吸着材６Ａに水分が吸着されるにつれて、吸着材６Ａでの二酸化炭素の吸着量が減少するからである。つまり、吸着材６Ａの水分量が少ないほど、吸着材６Ａはより多くの二酸化炭素を吸着できる。
【００５０】
第１比較例の二酸化炭素施用装置１Ｙでは、燃焼装置２、浄化ユニット２０、吸着タンク６の全てが農業用ハウス内１００Ａに配置される。また、第２比較例の二酸化炭素施用装置１Ｚでは、燃焼装置２が農業用ハウス内１００Ａに配置され、浄化ユニット２０、吸着タンク６が農業用ハウス外１００Ｂに配置される。
【００５１】
上記実施形態の二酸化炭素施用装置１、第１比較例の二酸化炭素施用装置１Ｙ、第２比較例の二酸化炭素施用装置１Ｚのそれぞれについて、吸着タンク６への二酸化炭素の吸着および施用を実施したときにおいて、吸着タンク６内の水分量の変化を図５に示す。
【００５２】
なお、上記実施形態の二酸化炭素施用装置１、第１比較例の二酸化炭素施用装置１Ｙ、第２比較例の二酸化炭素施用装置１Ｚの何れについても、吸着時における農業用ハウス内１００Ａの気温は１５℃、農業用ハウス外１００Ｂの気温は５℃とした。また、施用時における農業用ハウス内１００Ａの気温は２５℃、相対湿度は５０％、農業用ハウス外１００Ｂの気温は１０℃、相対湿度は３０％とした。
【００５３】
また、本実験例では、初期の水分量が概ね等しくされた吸着材６Ａを用いて、最初の約６０分間に同条件で燃焼を行う燃焼装置２にて燃料を燃焼することで吸着材６Ａに対する二酸化炭素の吸着を行い、その後、燃焼装置２を停止させるとともに気温等の条件を変更し、３００分間に渡って二酸化炭素の施用を実施した。
【００５４】
図５からは、第１比較例の二酸化炭素施用装置１Ｙおよび第２比較例の二酸化炭素施用装置１Ｚでは、二酸化炭素の吸着時に０．３−０．４ｋｇ程度、水分量が増加するが、本実施形態の二酸化炭素施用装置１では、０．０５ｋｇ程度だけ水分量が増加することが分かる。つまり、本実施形態の二酸化炭素施用装置１では、水分量の増加が１／６−１／８程度に抑制でき、より多くの二酸化炭素の吸着できることが分かる。
【００５５】
［１−２．効果］
以上詳述した実施形態によれば、以下の効果が得られる。
（１ａ）上記の二酸化炭素施用装置１は、燃焼排ガスに含まれる二酸化炭素を回収し、農業用ハウス内１００Ａに供給するように構成された二酸化炭素施用装置１であって、少なくとも１つの第１液体貯留タンク３、第２液体貯留タンク４と、吸着タンク６と、第１取込流路１１、第２取込流路１３、供給流路１５と、を備える。
【００５６】
第１液体貯留タンク３、第２液体貯留タンク４は、液体Ｌを貯留し、燃焼排ガスが液体Ｌ中を通過するように構成される。吸着タンク６は、液体Ｌ中を通過した燃焼排ガス中の二酸化炭素を吸着するように構成された吸着材６Ａを有し、第１液体貯留タンク３、第２液体貯留タンク４よりも高温となる位置に配置される。第１取込流路１１、第２取込流路１３、供給流路１５は、燃焼排ガスを、第１液体貯留タンク３、第２液体貯留タンク４を経由して吸着タンク６に供給するように構成される。
【００５７】
このような構成によれば、第１液体貯留タンク３、第２液体貯留タンク４は、比較的雰囲気温度が低い場所に配置されているため、タンク３，４中の液体Ｌの温度は比較的低い温度に維持される。このため、燃焼排ガスは、液体Ｌを通過することで、吸着タンク６の雰囲気温度よりも低温、或いは吸着タンク６の雰囲気温度と同程度の温度にまで冷却される。
【００５８】
二酸化炭素施用装置１は、このような作用によって、第１液体貯留タンク３、第２液体貯留タンク４を通過した燃焼排ガスに対して、吸着タンク６での温度低下を抑制し、相対湿度が上がりにくくすることができる。したがって、吸着タンク６での結露を抑制し、吸着タンク６による二酸化炭素の吸着性能を維持することができる。
【００５９】
また、このような構成により、第１液体貯留タンク３、第２液体貯留タンク４を通過した燃焼排ガスの温度を上昇させることができれば、燃焼排ガスの相対湿度を下げることができる。
【００６０】
（１ｂ）上記の二酸化炭素施用装置１は、吸着タンク６が農業用ハウス内１００Ａに配置され、第１液体貯留タンク３、第２液体貯留タンク４を含む浄化ユニット２０が農業用ハウス外１００Ｂに配置されて構成される。
【００６１】
このような二酸化炭素施用装置１によれば、暖房運転によって燃焼排ガスが供給される冬場に、吸着タンク６が比較的高温になる農業用ハウス内１００Ａに配置され、第１液体貯留タンク３、第２液体貯留タンク４が比較的低温になる農業用ハウス外１００Ｂに配置されるので、吸着タンク６での結露を抑制することができる。
【００６２】
（１ｃ）上記の二酸化炭素施用装置１は、吸着タンク６を加温するように構成された燃焼装置２をさらに備える。
このような二酸化炭素施用装置１によれば、燃焼装置２によって吸着タンク６がより高温になるように加温することができるので、吸着タンク６での結露をより抑制することができる。
【００６３】
（１ｄ）上記の二酸化炭素施用装置１において、燃焼装置２は、燃料を燃焼することによって二酸化炭素を含む燃焼排ガスを生成し、該燃焼排ガスの少なくとも一部を第１取込流路１１、第２取込流路１３、供給流路１５に供給するとともに、該燃焼によって発生する熱の少なくとも一部を、吸着タンク６を加温するために利用するように構成される。
【００６４】
このような二酸化炭素施用装置１によれば、燃焼装置２が、燃焼によって生じる二酸化炭素を吸着タンク６に供給する機能と、燃焼によって生じる熱を用いて吸着タンク６を加温する機能とを有するので、これらの機能を別の装置を用いて実現する構成と比較して、二酸化炭素施用装置１を小型化することができる。
【００６５】
［２．他の実施形態］
以上、本開示の実施形態について説明したが、本開示は、上記実施形態に限定されることなく、種々の形態を採り得ることは言うまでもない。
【００６６】
（２ａ）上記実施形態の二酸化炭素施用装置１においては、燃焼装置２を農業用ハウス内１００Ａに配置したが、農業用ハウス外１００Ｂに配置してもよい。
（２ｂ）上記実施形態の二酸化炭素施用装置１において、液体Ｌを貯留する液体貯留タンクの数は１つでもよい。また、二酸化炭素施用装置は、３つ以上の液体貯留タンクを備えてもよい。
【００６７】
（２ｃ）上記実施形態の二酸化炭素施用装置１において、制御部７は、ブロワ５の回転数の制御に加えて、排出流路１６の開閉弁１６Ａの開度を制御してもよい。つまり、吸着タンク６内の圧力よりもブロワ５の下流側の圧力が常に大きくなるように開閉弁１６Ａを徐々に開けるように制御してもよい。
【００６８】
（２ｄ）上記の二酸化炭素施用装置１は、農業用ハウスを加温するための燃焼装置２を用いて吸着タンク６を加温するように構成したが、図６に示すように、燃焼装置２とは別に、吸着タンク６を加温するための加温装置１８をさらに備えてもよい。加温装置１８には、例えば、電熱線方式の周知のヒータ、或いは周知のボイラ等を採用できる。
【００６９】
このような構成によれば、燃焼装置２とは別体の加温装置１８を用いて吸着タンク６の温度を調整することができるので、ハウス内の温度とは独立して吸着タンク６の温度を管理することができる。
【００７０】
（２ｅ）上記実施形態の二酸化炭素施用装置１は、燃焼排ガスの熱の一部を農業用ハウス内に供給し、間接的に吸着タンク６を加温するために利用するように構成したが、燃焼排ガスの少なくとも一部を、直接的に吸着タンク６を加温するために利用してもよい。
【００７１】
例えば、図７に示すように、排ガス流路１０と吸着タンク６とが接するように、排ガス流路１０を吸着タンク６側に迂回して配置するとよい。
このような構成によれば、燃焼排ガスの熱を用いて吸着タンク６を直接的に加温できるので、吸着タンク６をより高温とすることができ、吸着タンク６での結露を抑制することができる。
【００７２】
（２ｆ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００７３】
［３．実施形態の構成と本開示の構成との対応関係］
上記実施形態での燃焼装置２は本開示での加温部に相当し、上記実施形態での第１液体貯留タンク３、第２液体貯留タンク４は本開示での液体貯留タンクに相当する。また、上記実施形態での第１取込流路１１、第２取込流路１３、供給流路１５は本開示での供給流路に相当する。
【符号の説明】
【００７４】
１，１Ｙ，１Ｚ…二酸化炭素施用装置、２…燃焼装置、３…第１液体貯留タンク、４…第２液体貯留タンク、５…ブロワ、６…吸着タンク、６Ａ…吸着材、７…制御部、８…調整弁、１０…排ガス流路、１１…第１取込流路、１２…冷却空気流路、１２Ａ…冷却配管、１２Ｂ…開閉弁、１３…第２取込流路、１４…施用空気流路、１４Ａ…施用配管、１４Ｂ…開閉弁、１５…供給流路、１５Ａ…第１供給配管、１５Ｂ…第２供給配管、１６…排出流路、１６Ａ…開閉弁、１７…排水路、１７Ａ…チャッキ弁、２０…浄化ユニット、１００…農業用ハウス、１００Ａ…農業用ハウス内、１００Ｂ…農業用ハウス外、Ｌ…液体。
【図１】
2019041649.tif 000003
【図２】
2019041649.tif 000004
【図３】
2019041649.tif 000005
【図４】
2019041649.tif 000006
【図５】
2019041649.tif 000007
【図６】
2019041649.tif 000008
【図７】
2019041649.tif 000009